(57)【要約】【課題】  排紙部、排紙搬送経路の除湿効率を簡単な構成と制御にて高めることができる除湿装置を提供する。【解決手段】定着装置１５から排出された記録媒体を搬送する排紙搬送経路２０と、定着装置からの排熱を機外に排気したり外気を機内に導入する吸排気ダクト３０と、吸排気ダクトと機外との間で吸排気するファン３５と、を備えた画像形成装置における除湿装置であって、吸排気ダクト内部は、機外と排紙搬送経路とを連通させる除湿経路４０と、機外と定着装置からの排熱経路とを連通させる排気経路６０とに仕切られ、除湿経路には除湿剤８０が配置される。【選択図】  図２
2017191131.tif 000002
【特許請求の範囲】
【請求項１】
記録媒体上の未定着画像を加熱定着させる定着装置と、該定着装置から排出された前記記録媒体を搬送する排紙搬送経路と、前記定着装置からの排熱を機外に排気したり外気を機内に導入する吸排気ダクトと、該吸排気ダクトと機外との間で吸排気するファンと、を備えた画像形成装置における除湿装置であって、
前記吸排気ダクト内部は、仕切部材によって、前記ファンを経由して機外と前記排紙搬送経路とを連通させる除湿経路と、前記ファンを経由して機外と前記定着装置からの排熱経路とを連通させる排気経路とに仕切られ、
前記除湿経路には除湿剤が配置され、該除湿剤は前記除湿経路内の気体と接触して除湿を行い、且つ前記排気経路からの熱を前記仕切部材を介して受けて乾燥するように構成されていることを特徴とする除湿装置。
【請求項２】
風圧によって作動して前記除湿経路、及び前記排気経路を夫々開閉するシャッターを備え、
前記除湿経路側のシャッターは、前記ファンの排気運転時に該除湿経路を閉止し、且つ吸気運転時に開放し、
前記排気経路側のシャッターは、前記ファンの排気運転時に該排気経路を開放し、且つ吸気運転時に閉止することを特徴とする請求項１に記載の除湿装置。
【請求項３】
前記除湿経路内には前記除湿剤を収容した除湿室壁から成る除湿空間が設けられており、
前記除湿室壁には、前記排紙搬送経路側の開口と前記ファン側の開口が設けられ、前記各開口には風圧により開閉するシャッターが設けられており、
前記各シャッターは、前記ファンの排気運転時に該除湿空間を閉止し、且つ吸気運転時に開放することを特徴とする請求項１、又は２に記載の除湿装置。
【請求項４】
前記除湿経路、又は前記除湿空間を外気と連通させる抜気管と、該抜気管を風圧により開閉するシャッターを備え、該抜気管のシャッターは前記ファンの排気運転時には開放し、吸気運転時には閉止することを特徴とする請求項１乃至３の何れか一項に記載の除湿装置。
【請求項５】
前記画像形成装置の立ち上り運転時から印刷開始までの暖気時間において前記ファンは排気運転を行い、
前記印刷が開始されると前記ファンは吸気運転を行うことを特徴とする請求項１乃至４の何れか一項に記載の除湿装置。
【請求項６】
前記排紙搬送経路周辺の温度を検知する温度センサを備え、
前記温度センサが所定の温度までの上昇を検知すると、前記ファンが排気運転を実施することを特徴とする請求項１乃至５の何れか一項に記載の除湿装置。
【請求項７】
前記除湿剤周辺には湿度センサを備え、該湿度センサが所定の湿度以下となったことを検知するまで前記画像形成装置の暖気運転と前記ファンの排気運転を続けることを特徴とする請求項１乃至６の何れか一項に記載の除湿装置。
【請求項８】
前記湿度センサが前記排紙搬送経路の湿度が所定値まで下がったことを検知すると、印刷可能である旨の表示が行われることを特徴とする請求項７に記載の除湿装置。
【請求項９】
前記ファンは回転数を変更することができ、印刷開始までの暖気運転時における前記ファンによる排気運転時と、印刷開始時における前記ファンによる吸気運転時には、前記ファンの回転数を上げて運転することを特徴とする請求項１乃至８の何れか一項に記載の除湿装置。
【請求項１０】
前記ファンは回転数を変更することができ、前記除湿経路内の湿度センサが所定の湿度まで下がっていないことを検知している時には前記ファンは回転数を上げて排気運転し、前記所定の湿度まで下がったことを検知すれば通常の回転数で運転をすることを特徴とする請求項１乃至９の何れか一項に記載の除湿装置。
【請求項１１】
前記排紙搬送経路周辺に湿度センサ、及び温度センサを備え、前記除湿剤よりも前記ファン寄りには他の温度センサが備えられており、前記排紙搬送経路周辺の湿度センサ、及び温度センサからの検出値によって前記排紙搬送経路周辺の露点温度を算出し、
前記ファンによる吸気運転時に、前記露点温度が前記ファン寄りの他の温度センサによる検出温度の値と近ければ前記ファンの回転数を上げて運転し、前記他の温度センサによる検出温度の値と離れていれば通常の回転数で運転することを特徴とする請求項１乃至１０に記載の除湿装置。
【請求項１２】
前記画像形成装置内の画像形成部には温度センサが備えられており、該温度センサが所定温度を超えていることを検知すると、前記ファンは吸気運転をしないで排気運転をすることを特徴とする請求項１乃至１１の何れか一項に記載の除湿装置。
【請求項１３】
前記シャッターは可撓性のある材質によって構成されていることを特徴とする請求項２、３、又は４に記載の除湿装置。
【請求項１４】
前記シャッターは、前記吸排気ダクト内に設けた開閉軸によって開閉自在に軸支されていることを特徴とする請求項２、３、又は４に記載の除湿装置。
【請求項１５】
請求項１乃至１４の何れか一項に記載の除湿装置を備えたことを特徴とする画像形成装置。
【発明の詳細な説明】
【技術分野】
【０００１】
本発明は排紙部、排紙搬送経路の除湿効率を高めることができる除湿装置、及び画像形成装置に関する。
【背景技術】
【０００２】
複写機、プリンタ、ファクシミリ装置、複合機等の電子写真式の画像形成装置にあっては、原稿反射光、ホストマシンからの画像情報に基づいて作成した光学的な画像情報を、予め一様に帯電した感光体（像担持体）上に照射することにより感光体に静電潜像を形成する。この静電潜像は現像部によって現像されて可視像（トナー画像）とされてから、転写部において給紙部から給送されてきた記録媒体上に転写される。この未定着画像を担持した記録媒体は定着装置に搬送され、定着装置内の加熱定着手段を通過する際に未定着画像が記録媒体上に加熱定着される。定着終了後は、更に下流側に配置された排紙搬送経路を経由して排紙部（排紙トレイ）に排出される。
画像形成装置は冬季の朝等のように低温且つ湿気が高い時間帯、環境において立ち上げて印刷を開始すると、定着装置により熱せられた紙等の記録媒体から発散された蒸発水分が排紙搬送経路に溜まって排紙搬送路の構造物に結露を引き起こして、水分付着による画像異常や搬送異常などの問題を引き起こす。
【０００３】
また、画像形成装置により印刷を行うとき記録媒体は定着装置にて高温にて加熱される。その際に記録媒体から蒸発した水分は上昇して機内に漂う。一方、定着装置からの排熱は機内温度上昇防止のために排気ダクトから排気されるが、小さなサイズの画像形成装置では定着装置と排紙部（排紙口）との距離が近く、排紙部とは異なった位置に設けた排気ダクトのファンによって排気を行うことにより排紙部から外気を吸引してしまうことがある。外気は定着装置により暖められた高温高湿の内部よりも低温であり、これらが交じり合うことで排紙搬送経路のリブなどに結露が発生してしまうことがある。
即ち、定着装置が記録媒体を加熱することにより発生した水蒸気を含んだ暖かい空気と、排紙部から導入された外気により冷却された排紙搬送経路のリブが接触することでリブに結露が発生する。リブは搬送される記録媒体が接触する部分であるため、水分付着による画像異常や、記録媒体の腰の脆弱化による搬送異常が発生する。
【０００４】
このような不具合に対処する手法として、定着装置からの定着熱を利用して予め結露発生部を暖めたり、ファンにて外気を送風して水蒸気を物理的に飛散させたり、定着装置からの排熱を機外に排出させる定着排気経路中に除湿部材を配置するなどの結露防止技術が既に知られている。
感光体の結露防止、結露解消を目的とした従来例として特許文献１、特許文献２があるが、排紙搬送経路に発生した結露の解消、防止には効果がない。
【０００５】
特許文献３には、定着装置による記録媒体の加熱によって発生した水蒸気が機内に結露する不具合を解消するために排気ダクトに除湿部材を配置した構成が提案されている。
しかし、この結露防止方法において、定着熱をそのまま結露発生箇所に送り込むと記録媒体から蒸発した水分によって機内の湿度が上昇する。少量の外気を結露発生箇所に吹き付けて物理的に水分を移動させたとしても、機外に排出される空気量が少なく機内全体の湿度が上昇してゆく。外気による除湿効果は、専ら機外の湿度、即ち室内の湿度に依存しており、室内湿度が高い場合には乾燥効率が悪くなる。除湿剤を排気ダクト内に配置すると、別途、除湿剤の乾燥手段が必要となる筈であるが、そのような乾燥手段については言及されていない。また、除湿剤を放熱フィンに連設して低温化することで結露を誘発して除湿する構成が開示されている。しかし、除湿剤の乾燥手段が存在しない結果として、除湿剤に結露して垂れてくる水滴を受ける水受け皿等が必要になるため、部品点数が増えたり、メンテナンス作業が繁雑化するという問題がある。
また、特許文献３は排紙搬送経路の結露防止に特化した内容を有しているものではないので、排紙搬送経路を効率的に乾燥させることができる、という保証がない。
【０００６】
特許文献４には定着装置から発生した水蒸気が、定着装置よりも下流側のガイド板や搬送ローラ付近に結露する不具合を解消するために、ガイド板や搬送ローラ付近に外気を供給して結露を防止しているが、外気の湿度が高い場合には結露防止効果が少ない。
特許文献５には、定着装置による定着時に記録媒体から発生した水蒸気がシート搬送路に結露することを防止するために、定着装置周辺に複数のダクトを設け、定着装置周辺の温度や湿度の環境条件に応じて排気に使用するダクトを切り替えるようにした構成が開示されている。
しかし、画像形成装置の小型化が求められている昨今、特に机上用等の小型の画像形成装置の内部スペースには余裕がないのが一般であり、複数のダクトを配置することは難しい。
【発明の概要】
【発明が解決しようとする課題】
【０００７】
本発明は上記に鑑みてなされたものであり、画像形成装置の排紙部、排紙搬送経路の除湿効率を簡単な構成と制御にて高めることができる除湿装置、及び画像形成装置を提供することを目的としている。
【課題を解決するための手段】
【０００８】
上記目的を達成するため、本発明の除湿装置は、記録媒体上の未定着画像を加熱定着させる定着装置と、該定着装置から排出された前記記録媒体を搬送する排紙搬送経路と、前記定着装置からの排熱を機外に排気したり外気を機内に導入する吸排気ダクトと、該吸排気ダクトと機外との間で吸排気するファンと、を備えた画像形成装置における除湿装置であって、前記吸排気ダクト内部は、仕切部材によって、前記ファンを経由して機外と前記排紙搬送経路とを連通させる除湿経路と、前記ファンを経由して機外と前記定着装置からの排熱経路とを連通させる排気経路とに仕切られ、前記除湿経路には除湿剤が配置され、該除湿剤は前記除湿経路内の気体と接触して除湿を行い、且つ排気経路からの熱を前記仕切部材を介して受けて乾燥するように構成されていることを特徴とする。
【発明の効果】
【０００９】
本発明によれば、画像形成装置の排紙部、排紙搬送経路の除湿効率を簡単な構成と制御にて高めることができる除湿装置を提供することができる。
【図面の簡単な説明】
【００１０】
【図１】本発明の一実施形態に係る除湿装置を備えた画像形成装置の内部構成を示す略図である。
【図２】（ａ）及び（ｂ）は本発明の他の実施形態に係る除湿装置を備えた画像形成装置における吸排気動作を示した図である。
【図３】図２の吸排気ダクトの拡大説明図である。
【図４】画像形成装置の暖気運転と、印刷開始時におけるファン制御と吸排気動作を示すフローチャートである。
【図５】図２（ｂ）の要部拡大図である。
【図６】本発明の他の複数の実施形態に係る除湿装置（画像形成装置）の構成例を示す縦断面略図である。
【図７】排紙搬送経路に温度センサ１１０を配置した場合の制御手順を示すフローチャートである。
【図８】湿度センサ１１１を除湿剤の近傍、周辺に配置した場合の制御手順を示すフローチャートである。
【図９】湿度センサ１１１を除湿剤の近傍、周辺に配置した場合の他の制御手順を示すフローチャートである。
【図１０】ファンの制御方法１における制御手順を示したフローチャートである。
【図１１】ファンの制御方法３の実施形態における制御手順を示したフローチャートである。
【図１２】ファンの制御方法４の実施形態の制御手順を示すフローチャートである。
【図１３】（ａ）及び（ｂ）は夫々シャッター、及びその支持方法を示した図である。
【発明を実施するための形態】
【００１１】
以下、本発明を図面に示した実施の形態により詳細に説明する。
［本発明の基本的構成］
＜第１の実施形態＞
図１は本発明の一実施形態に係る除湿装置を備えた画像形成装置の内部構成を示す略図である。
画像形成装置１は、その筐体２内に、記録紙等の記録媒体Ｐを収容した給紙トレイや給紙ローラを備えた給紙部３と、感光体５ａ、現像部５ｂ、転写部５ｃ等を備えた作像部５と、感光体５ａ上に光学的な画像データを照射する書込み光学部１０と、転写部５ｃにおいて記録媒体上にトナー像を転写された記録媒体Ｐが通過する過程で加熱、加圧することにより未定着トナー像（未定着画像）を記録媒体上に定着させる定着装置１５と、定着装置から排出された記録媒体を排紙部（排紙受け部）２２に搬送する排紙搬送経路２０と、排紙搬送経路２０に配置された搬送ローラ２１と、定着装置から発生する熱と水分を含んだ空気を機外に排出したり機外の空気を機内に導入する吸排気ダクト３０と、機内（吸排気ダクト）と機外との吸排気の駆動源となる吸排気ファン（ファン）３５と、これらを制御する制御手段（ＣＰＵ、ＲＯＭ、ＲＡＭ）１００と、を備える。また、筐体上部には読取光学系２００が配置されている。
【００１２】
吸排気ダクト３０、吸排気ファン３５、制御手段１００等は除湿装置Ａを構成している。
なお、本明細書では、作像部５と定着装置１５とを併せた概念を画像形成部と称する。
定着装置１５は、加熱ローラ１５ａと加圧ローラ１５ｂとを備え、記録媒体Ｐ上の未定着画像（未定着トナー像）を加熱しつつ加圧することにより定着させる手段であり、発生した熱は定着装置の排熱部（排熱経路）１５ｃから上方に放出される。
【００１３】
吸排気ダクト３０はその一端でファン３５が配置された筐体の開口部と連通し、他端で機内（定着装置の排熱部１５ｃ、排紙搬送経路２０）と連通している。
吸排気ダクト３０とファン３５は、定着装置の排熱部（排熱経路）１５ｃからの加熱空気を機外に排出させて機内温度の上昇を防いだり、外気を導入して内部の冷却、湿度低下等を図る手段である。
【００１４】
本発明の画像形成装置１は、作像部５において画像の転写を受けた記録媒体を通過させる過程で未定着画像を記録媒体上に加熱定着させる定着装置１５と、定着装置から排出された記録媒体を排紙部２２に搬送する排紙搬送経路２０と、一端が機外と連通し他端が機内（排紙搬送経路）と連通し、定着装置からの排熱を機外に排気したり外気を機内に導入する吸排気ダクト３０と、吸排気ダクトと機外との間で空気を吸排気するファン３５と、を備える。
【００１５】
吸排気ダクト（除湿装置Ａ）３０は、機外と排紙搬送経路２０とを連通させる除湿経路（排紙経路側経路）４０と、機外と定着装置の排熱部１５ｃとを連通させる排気経路（定着装置側排気経路）６０と、を備える。更に、除湿経路４０と排気経路６０とを仕切る仕切部材（境界）７０には除湿剤８０が配置されて、除湿剤が除湿経路４０内の気体と接触して除湿を行い、且つ排気経路６０からの熱を受けて乾燥するように構成されている。
【００１６】
除湿経路（排紙経路側経路）４０と、排気経路（定着装置側排気経路）６０と、仕切部材（境界）７０と、除湿剤８０は除湿装置Ａを構成している。
仕切部材７０は一端（内側端部）を排紙搬送経路２０の手前の適所で終端させていることにより、ファンが機外から導入した外気を効率よく排紙搬送経路２０内に導入できるように配慮している。また、仕切部材７０の他端（外側端部）をファン３５の近傍で終端させていることにより、ファンが外気の吸引を行う際に外気導入の障害とならないようにしている。
仕切部材７０の長さ、形状、上下位置などは図示に限定される訳では無く種々レイアウト可能である。
【００１７】
更に、除湿経路４０、及び排気経路６０には夫々吸排気時に発生する正逆二方向の風圧により各経路を開閉するシャッターが複数設けられている。除湿経路側のシャッター（第１シャッター）４１は、ファンの排気運転により機内の空気を機外に排気する時に除湿経路を閉止し、且つ吸気運転時には除湿経路を開放する。排気経路側のシャッター（第２シャッター）６１は、ファンの排気運転により定着装置（機内）からの排気熱を排気経路６０から機外に排気する時に排気経路を開放し、且つ吸気運転時に排気経路を閉止するように動作する。
つまり、ファンの排気運転時には機内の空気は除湿経路４０を経由して機外に排気されず、排気経路６０だけから機外に排出される。逆にファンの吸気運転時には外気は除湿経路４０だけから機内に導入される。
【００１８】
本例では除湿経路側のシャッター４１は、一端（下端）を左右に揺動自在に軸支され、他端（上端）は吸排気ダクト３０等に設けたストッパ４１ａによってそれ以上時計回り方向へ回動しないようにストップがかけられている。
【００１９】
また、排気経路側のシャッター６１は、一端（上端）を左右に揺動自在に軸支され、他端（下端）は吸排気ダクト３０等に設けたストッパ６１ａによってそれ以上時計回り方向へ回動しないようにストップがかけられている。
何れのシャッター４１、６１もファンの排気動作、吸引動作によって発生する各方向の風圧によって夫々開閉動作し、風圧が作用しない場合には原位置に復帰するように構成されている。なお、各シャッターの開閉軸は上下が図示と逆であっても良い。
【００２０】
以上の構成を備えた結果、吸排気ダクト３０を熱伝導性の良好な金属から成る仕切部材７０により上下に仕切ることによって画成された二つの経路、即ち上側の除湿経路（排紙経路側経路）４０と、下側の排気経路（定着装置側排気経路）６０の境界である金属板製の仕切部材（境界）７０に設けた凹所７０ａ（除湿剤収容部）内には除湿剤８０が配置されて、除湿剤が除湿経路４０内を通過する気体と接触して気体を除湿（乾燥）し、且つ排気経路６０からの熱を仕切部材７０を介して受けることにより除湿剤が乾燥する。除湿剤は排気経路６０側を通過する空気とは遮断されており、排気経路を通過する空気の熱のみが除湿剤に供給される。
仕切部材７０（凹所７０ａ）を熱伝達性の高い金属、例えばアルミニウムにより構成することにより、排気時に除湿経路、除湿空間を早く暖めて除湿剤の乾燥効率を高めることができる。
【００２１】
除湿剤８０としては、例えば細かい顆粒状のもの（例えば、シリカゲル）を透湿性、通気性を備えた不織布、その他任意の手段により包んだものを用い、導入された外気から吸湿するのに充分な量を気体の通過経路に沿って広く配置する。
【００２２】
画像形成装置の立ち上げ時（印刷開始前の暖気時間）にファン３５は排気運転を行うが、ファン３５の排気時は外へ向かう排気の風圧を受けたシャッター４１の作用により除湿経路４０が閉となる一方で、外へ向かう排気の風圧を受けたシャッター６１の作用により排気経路６０が開となり、定着装置の排熱部１５ｃから排出された温度の高い排気が排気経路６０（仕切部材７０の下面）を通過する。このため、仕切部材７０（凹所７０ａ）を介して除湿経路４０と、除湿剤８０が昇温して除湿経路内の空気と除湿剤の温度を上昇させて除湿剤８０の湿度を低下させる。
作像部５による印刷が始まるとファン３５を逆転させて吸気運転を開始するので、シャッター６１の作用により排気経路６０が閉となる一方で、除湿経路（＝排紙搬送経路と連通）のみが開となり、外気を湿度の下がった除湿剤８０に触れさせて乾燥させてドライエアを排紙搬送経路２０に供給して湿度を低下させる（結露を解消する）。
【００２３】
＜第２の実施形態＞
次に、図２（ａ）及び（ｂ）は本発明の他の実施形態に係る除湿装置を備えた画像形成装置における吸排気動作を示した図であり、図３は図２の吸排気ダクト部の拡大説明図である。図４は画像形成装置の暖気運転と、印刷開始時におけるファン制御と吸排気動作を示すフローチャートである。図５は図２（ｂ）の要部拡大図である。
【００２４】
なお、図１の実施形態と同一部分には同一符号を付して説明する。
この除湿装置（吸排気ダクトの吸排気機構）Ａは、除湿経路４０内に除湿剤８０を含む小空間である除湿空間４５を形成した点と、常時においては自力（自重、付勢力等）により閉止姿勢にあるが開放方向への風圧が加わった場合には開放姿勢となることにより除湿空間を開閉するシャッター（第３シャッタ−）４６、シャッター（第４シャッター）４７を設けた点が特徴的である。シャッター４１、６１は図１の実施形態と同様に設けている。
除湿空間４５は、除湿経路４０内において金属板材としての仕切部材７０と、仕切部材７０と除湿空間の上壁との間に配置された除湿室壁４９と、除湿室壁４９の左右の開口４９ａ、４９ｂを開閉するシャッタ−４６、４７と、によって形成されている。除湿空間４５内に配置された除湿剤８０は、両シャッタ−４６、４７が自重、或いは付勢力等によって閉じている時には閉空間としての除湿空間内に密閉された状態となる。つまり、両シャッターを閉じることによって除湿空間を密閉することにより、排気経路６０を通過する高温の排気熱を仕切部材７０を介して伝導されることによって効率的に除湿剤を加熱、除湿することが可能となる。
【００２５】
図２（ａ）に示した排気時にはシャッター４１は原形復帰力等の自力（或いは自力）により除湿経路を閉じており、両シャッター４６、４７は自力により開口４９ａ、４９ｂを閉止した状態を維持するが、図２（ｂ）に示した吸気時にはシャッター４１は吸気の風圧により開放し、両シャッター４６、４７は吸気の風圧により開放動作して開口４９ａ、４９ｂを開放する。
【００２６】
なお、除湿経路４０の上壁（吸排気ダクト３０の上壁）に設けた穴には、該上壁に対して相対的に面積の小さな（例えば、１／１０程度の）抜気管（煙突）８５の一端開口が固定され、除湿経路内の空気を煙突効果（圧力差）により外部に排出可能としている。このため、排気経路６０を通過する熱により加熱されて除湿剤から放出された水蒸気は除湿経路から抜気管の煙突効果により機外へ排出される。
【００２７】
なお、本例では抜気管８５は、除湿空間の除湿室壁４９に設けた穴に下端開口を連通した状態で固定されているため、除湿剤の乾燥時に発生した水蒸気は除湿空間４５内に溜まること無く抜気管８５から機外に排出されることとなる。抜気管８５の下端開口に風圧により開閉するシャッター（第５シャッター）８６を設けても良い。ファンが外気を吸引する際には除湿経路側の他の全てのシャッター４１、４６、４７が右から左に向かう風圧により開放するのに反して、シャッター８６は同じ方向の風圧により閉止状態となる。逆に、ファンが排気する際には左から右に向かう風圧（或いは自力）により除湿経路側のシャッター４１が閉止し、且つシャッター４６、４７が自力により閉止するのに反して、シャッター８６は自重、或いは自らの原形復帰力等により開放状態となる。
【００２８】
次に、図２（ａ）（ｂ）、及び図４のフローチャートに基づいて本除湿装置（画像形成装置）における吸排気動作を説明する。
まず、図２（ａ）に示すように、画像形成装置の立ち上り時に定着装置１５は暖気運転をしておりその際にはファン３５は排気運転を行う（図４、ステップＳ１、２、３）。この際に、吸排気ダクト３０内に形成される空気流の風圧（或いは、自力）により除湿経路側のシャッター４１が閉（シャッター４６、４７は自力により閉）となり、排気経路６０側のシャッター６１は風圧により開となり、高温の空気が排気経路を外部へ向けて流れる（ステップＳ４）。すると、仕切部材７０、除湿室壁４９が加熱され、除湿経路４０、除湿空間４５内の除湿剤８０の温度が上昇して乾燥（相対湿度が低下）されて行く（ステップＳ５）。この際、湿気を含んだ空気は抜気管８５を経由して除湿空間４５から機外へ排出される。
図１のように除湿空間が存在しない場合には、除湿経路４０内の湿気を含んだ空気が抜気管８５から機外へ排出される。
【００２９】
次に図２（ｂ）、及び図５の拡大図に示すように画像形成装置による印刷初期（暖気運転終了、図４、ステップＳ６、Ｓ７）では、ファン３５は吸気運転を行う（図４、ステップＳ８）。この際に、吸排気ダクト３０内に形成される空気流の風圧により除湿経路側のシャッター４１、４６、４７が開放し、排気経路６０側のシャッター６１は閉となり、外気が除湿経路４０（除湿空間４５）内を排紙搬送経路２０へ向けて流れる（ステップＳ９）。すると、乾燥状態にあった除湿剤が外気中の湿気を吸収してドライエアを生成し、このドライエアが排紙搬送経路に供給されて排紙搬送経路上のリブの結露を解消する（ステップＳ１０、１１）。
【００３０】
このように除湿装置Ａは、画像形成装置の立ち上り運転時から印刷開始までの暖気時間においてファンは排気運転を行い、印刷が開始されるとファンは吸気運転を行う。
暖気運転時に除湿剤は充分に乾燥され、印刷が始まるとファンは逆転して、各シャッターの作用により除湿経路４０側は開、排気経路６０側は閉となり、除湿空間４５も開かれる。この状態で外気が取り込まれて除湿剤と触れることで乾燥された空気となり、結露防止したい排紙搬送経路２０に供給される。このことにより、排紙搬送経路の相対湿度は下がり、印刷により定着装置から水蒸気が上がっても飽和湿度まで達せずに結露は発生しない。
【００３１】
［温度センサ、除湿センサを付加した実施形態、他］
次に、図６は本発明の他の実施形態に係る除湿装置を備えた画像形成装置の複数の構成例を示す縦断面略図であり、各所に湿度センサ、又は／及び、温度センサを配置した例を示している。
【００３２】
＜温度センサを排紙搬送経路に配置した構成例＞
図６中に示した符号１１０は温度センサであり、排紙搬送経路２０、及びその周辺の温度を検知する温度センサ１１０を配置し、温度センサ１１０が所定の温度までの温度上昇を検知すると、ファン３５が排気運転に切り替わるように制御してもよい。
【００３３】
図７は排紙搬送経路に温度センサ１１０を配置した場合の制御手順を示すフローチャートである。ステップＳ１からステップＳ１１までは図４と同様である。
本制御における特徴的な点は、吸気運転に係るステップＳ１０、１１において乾燥空気によって排紙搬送経路２０の結露が充分に解消された後で、ステップＳ１５において温度センサ１１０によって排紙搬送経路２０の温度が充分に上昇したことが判定された時に、ファン３５を逆転させて排気運転に移行して除湿剤を乾燥させる制御にある。
温度センサ１１０が所定値を越えた温度上昇を検知しない場合には（ステップ１５、ＮＯ）ステップＳ８にもどる。
【００３４】
本実施形態によれば、画像形成装置の暖気運転後に印刷が開始された後で排紙搬送経路の温度が所定値を越えて充分に上昇した段階で乾燥させた外気の取り入れを中止して通常運転に復帰することとなる。
これによれば、結露が解消された状態にある排紙搬送経路を利用した安定した排紙を行うことが可能となり、湿気による画質不良、搬送不良を防止することが可能となる。
【００３５】
＜除湿剤周辺に除湿センサを配置した構成例１＞
次に、図６中の符号１１１は除湿剤８０の近傍、周辺に配置した湿度センサである。この実施形態では除湿経路４０、除湿空間４５に配置された除湿剤８０の湿度を検知するために湿度センサ１１１を配置し、検知湿度が所定値以下となるまで画像形成装置の定着装置１５の暖気運転とファン３５の排気運転を続ける。
【００３６】
図８は湿度センサ１１１を除湿剤８０の近傍、周辺に配置した場合の制御手順を示すフローチャートである。図７と同一ステップには同一符号を付して説明する。
ステップＳ１からステップＳ５、ステップＳ６からステップＳ１６は図７と同じである。
本制御では、まず、ステップＳ３、４、５で実施されている排気運転により排気経路６０を通過する定着排熱により除湿剤が除湿されている時に、制御手段１００はステップ５ａにおいて湿度センサ１１１からの信号をチェックして除湿剤の湿度が所定値よりも低下した場合にはステップＳ６に進んで画像形成装置の暖気運転を終了する（ステップＳ５ａ、Ｙｅｓ）。更に、ステップＳ７、８、９において印刷、ファンによる吸気運転、除湿経路４０による外気の導入を開始することにより、ステップＳ１０、１１において除湿剤の乾燥、排紙搬送経路への乾燥空気の送風による除湿を実施する。
【００３７】
なお、ステップ１５は温度センサ１１０に係るステップであるため、温度センサ１１０を配置しない場合にはこのステップは不要となる。
本実施形態によれば、画像形成装置のデフォルトの暖気時間に依存することなく、除湿剤の湿度が狙いの値に低下するまで確実に暖気運転を行ない、除湿剤を乾燥させることができる、という効果を得ることができる。
【００３８】
＜除湿剤周辺に除湿センサを配置した構成例２＞
次に、図６中の符号１１１は除湿剤８０の近傍、周辺に配置した湿度センサである。この実施形態では除湿経路４０、除湿空間４５に配置された除湿剤８０の湿度を検知するために湿度センサ１１１を配置し、検知湿度が所定値以下となった時に、印刷可能を知らせる表示が操作部２０１に表示される。
湿度センサ１１１は、除湿剤８０が所定の湿度に低下するまで定着装置の熱源をＯＮさせ続け、ファンを排気動作させ続けてウォームアップ状態を維持する（印刷可としない）。
【００３９】
図９は湿度センサ１１１を除湿剤８０の近傍、周辺に配置した場合の他の制御手順を示すフローチャートである。図８と同一ステップには同一符号を付して説明する。
ステップＳ６ａ以外は図８と同じであるので、相違点のみを説明する。
本制御では、ステップＳ６において画像形成装置の暖機運転が終了した後で、ステップＳ６ａにおいて湿度センサ１１１が除湿剤８０が充分に乾燥したことを検知した段階でステップＳ７の印刷開始に移行する前提としての印刷可能表示を操作部２０１に表示させる。
【００４０】
なお、ステップ１５は温度センサ１１０に係るステップであるため、温度センサ１１０を配置しない場合にはこのステップは不要となる（このことは以下の全ての実施形態に共通）。
この制御を実施することにより、ユーザーに結露異常が発生しないタイミングで印刷をしてもらうことが可能となる。
【００４１】
＜ファンの制御方法１＞
本実施形態では、上記の各実施形態に係る除湿装置（画像形成装置）において吸排気を行うために使用されるファン３５の回転数を任意に増減変更可能に構成し、印刷前までにおける暖気運転時（ファン排気運転）と、印刷開始時におけるファン吸気運転時には、ファンの回転数を上げて運転するようにしている。
【００４２】
図１０は本実施形態における除湿装置（画像形成装置）の制御手順を示したフローチャートであり、ステップＳ３ａ、８ａ、Ｓ１６ａ以外は図９と同じであるので、相違点のみを述べる。
ステップＳ１、Ｓ２における暖気運転開始に伴ってファン３５を排気運転させる際に、ステップＳ３ａにおいてファンを通常よりも高速で回転させる。また、ステップＳ８の印刷開始に際してファンが実施する吸気運転を高速回転で行う（ステップＳ８ａ）。最後に、温度センサ１１０によって排紙搬送経路２０の温度が充分に上昇したことが検知された際に（ステップＳ１５、ＹＥＳ）実施するファンの排気運転は通常回転とする（ステップＳ１６ａ）。
この制御方法によれば、ファンの暖気運転を高速回転とすることにより除湿剤を乾燥するのに要する時間を短縮することができ、ファンの吸気運転を高速回転とすることにより結露防止効果を上げることができる。
【００４３】
＜ファンの制御方法２＞
本実施形態では上記の各実施形態に係る除湿装置（画像形成装置）において吸排気を行うために使用されるファン３５の回転数を任意に増減変更可能に構成し、湿度センサ１１１により除湿剤８０の湿度が所定値まで下がっていないことが検知されている間は、制御手段１００はファン３５の回転数を上げて運転させ、湿度が下がれば通常の回転数で運転するようにしている。
図１０中には破線で示したステップＳ５ｂはこの制御を示している。即ち、ステップＳ５ａにおいて除湿剤の湿度が所定値まで低下したことが検知された場合には、ステップＳ５ｂにおいてファンによる排気動作を通常回転で実施させる。
【００４４】
この制御によれば、ステップＳ１で開始された暖気時において、湿度センサ１１１による検知結果により除湿剤が充分に乾燥したことが判明するまではファンの出力を高めて時間を短縮し（ステップＳ３ａ）、充分に乾燥した後はファン出力を通常に戻して定着装置の暖気を待ち、電力と騒音の副作用を抑えることが可能となる。
【００４５】
＜ファンの制御方法３＞
本実施形態に係るファンの制御方法は、制御手段１００が、排紙搬送経路（搬送リブ）２０の近傍に配置した温度センサ１１０、及び湿度センサ１１２（図６）と、ファン３５の近傍（除湿剤８０よりもファン寄りの位置）に配置した温度センサ１１３（図６）からの検知データを用いてファンの回転数を制御するようにした構成が特徴的である。
図１１は本実施形態における除湿装置（画像形成装置）の制御手順を示したフローチャートであり、図１０のフローとはステップＳ１１ａ、１１ｂのみが異なっている。
【００４６】
ステップＳ８の印刷開始後、ステップＳ８ａで吸気運転を開始している最中に、温度センサ１１０、及び湿度センサ１１２のデータにより排紙搬送経路２０周辺の温湿度を算出し、この温湿度から排紙搬送経路近傍の露点温度を検出する。この露点温度がファン近傍の温度センサ１１３による検出温度に近い場合（露点温度よりも外気温度が高い場合、即ち、結露し易い状況にある場合。ステップＳ１１ａ、Ｎｏ）にはステップＳ８ａに戻ってファン３５の回転数を高めて運転し強送風して露点温度を高める。温度センサ１１３による検出温度が露点温度から充分に離れていれば（露点温度よりも外気温度が充分に低い場合、即ち、結露しにくい状況にある場合。ステップＳ１１ａ、Ｙｅｓ）は通常の回転数で吸気運転する（ステップＳ１１ｂ）。
【００４７】
この制御方法では、ファン３５による吸気運転時において、排紙搬送経路２０側の露点計算を行った結果、結露が発生しやすい状況であればファン出力を高めて排紙搬送経路側の雰囲気湿度を安全側に移行させる。排紙搬送経路側の雰囲気湿度が安全側であれば、ファン出力を通常に抑えて排紙搬送経路（搬送リブ）の温度上昇を待ち、電力と騒音の副作用を抑えることができる。
【００４８】
＜ファンの制御方法４＞
図１２は本実施形態の除湿装置（画像形成装置）の制御手順を示すフローチャートである。
本実施形態では上記の各実施形態において画像形成部（定着装置１５、或いは作像部５）の適所（本例では排熱部１５ｃ近傍）に温度センサ１１４（図６）を配置し、温度センサ１１４の検知温度が所定値を越えた場合にファン３５による吸気運転をしないで排気運転を行うようにしている。
図１２のフローは、図１１のフローとはステップ８Ａ、８Ｂのみが異なっている。
【００４９】
即ち、ステップＳ８において画像形成装置が印刷を開始した後で、ステップＳ８Ａにおいて画像形成部（定着装置１５、或いは作像部５）の温度を温度センサ１１４によって検知し、検知された温度が所定値以下であればファンの吸気運転を行い（ステップＳ８ａ）、検知温度が所定値を越えていれば排気運転を行う（ステップＳ８Ｂ）。排気運転を行う過程でステップＳ８Ａにおける判定を適宜実施し、最終的に検知温度が所定値以下となった時にステップ８ａに進んで吸気運転を行う。
排気運転から吸気運転に切り替えるか否かの判定基準となる温度センサ１１４による検知温度の上記所定値（限界値）は、その温度を超えた場合に画像形成部の構成要素や動作に悪影響をもたらす虞があるか否かを基準に設定される。
これによれば、画像形成部の温度が限界値に近ければ、どのような状況でも吸気運転は行なわずに定着排熱を優先させて、画像形成装置の温度上昇による障害から守ることができる。
【００５０】
なお、図６乃至図１２に示した各実施形態のセンサや制御方法は夫々独立した発明としてもよいし、各実施形態のセンサを適宜組み合わせてもよい。
例えば、図６の温度センサ１１０と湿度センサ１１１を組み合わせても良いし、湿度センサ１１１単独の構成としても良い。
【００５１】
＜シャッターの構成例＞
図１３（ａ）及び（ｂ）は夫々シャッター、及びその支持方法を示した説明図である。
図１、図２、図３等に示したシャッター４１、４６、４７、６１、８６は、図１３（ａ）に示した例では、ＰＥＴフィルム等の可撓性、弾性を有した樹脂等からなる板材から構成し、この板材の一端寄りの一面を仕切部材７０（シャッター４６、４７では除湿室壁４９、シャッター８６では吸排気ダクト上壁、或いは除湿室壁）を接着等により固定して他の部位をフリーにしている。
この構成によれば、シャッターを可撓性のある材質によって構成したため、作動させる方向への風圧が加わらない場合には閉止状態、又は開放状態を維持し、作動させる方向への所定以上の風圧が加わった場合には開放、又は閉止するように変形するシャッターの機構を安価に簡単に構成することができる。
【００５２】
図１３（ｂ）は他のシャッターの支持構造を示す図である。
本例では風力によって開閉可能な程度に軽量、且つ強度を有した板材料から成るシャッター４１、６１の一端をヒンジ構造４３、６３によって仕切部材７０によって回動自在に軸支している。各ヒンジ構造４３、６３は、仕切部材に固定された開閉軸４３ａ、６３ａによって各シャッター４１、６１の一端を回動自在に軸支した構成とすればよい。また、シャッターを作動させる方向への風圧がない場合には自力（自重、バネ付勢等）によって開放姿勢、或いは閉止姿勢を維持し、作動させる方向への所定以上の風力が作用した時に姿勢保持力に抗して閉止、或いは開放方向へ作動するように構成する。
【００５３】
シャッターの材料としては、軽量、耐久性、耐熱性という条件を備えた金属、樹脂等を用いることができる。
これによれば、シャッターの開閉機能を精度と耐久性高く実現できる。
【００５４】
＜本発明の構成、作用、効果のまとめ＞
第１の本発明に係る除湿装置Ａは、未定着画像を担持した記録媒体Ｐ１を通過させる過程で未定着画像を記録媒体上に加熱定着させる定着装置１５と、該定着装置から排出された記録媒体を搬送する排紙搬送経路２０と、定着装置からの排熱を機外に排気したり外気を機内に導入する吸排気ダクト３０と、該吸排気ダクトと機外との間で空気を吸排気するファン３５と、を備え、吸排気ダクト内部は、仕切部材７０によって、ファンを経由して機外と排紙搬送経路とを連通させる除湿経路（排紙経路側経路）４０と、ファンを経由して機外と定着装置からの排熱経路とを連通させる排気経路（定着装置側排気経路）６０とに仕切られ、除湿経路には除湿剤８０が配置され、該除湿剤は除湿経路内の気体と接触して除湿を行い、且つ排気経路からの熱を仕切部材を介して受けて乾燥するように構成されていることを特徴とする。
【００５５】
定着装置からの排熱を機外に排気する吸排気ダクトに配置した除湿剤を定着装置からの排熱により加温して湿度を低下させると共に、乾燥した除湿剤に対して外気を供給してドライエアを作り、このドライエアを排紙搬送経路に送り込んで結露を防止するために、吸排気ダクト内に除湿経路と排気経路を設けた。定着装置からの排熱を除湿剤の乾燥に使用する一方で、乾燥した除湿剤により導入した外気を除湿して生成したドライエアを排紙搬送経路に送り込んで排紙搬送経路の除湿を行い、排紙搬送経路の結露に起因して発生する記録媒体上の画像不良、搬送不良を防止することができる。
除湿経路４０は内側端部において排紙搬送経路と連通し、外側端部においてファンを介して外気と連通する。排気経路６０は内側端部において定着装置の排熱部と連通し、外側端部においてファンを介して外気と連通する。仕切部材７０は吸排気ダクト内に除湿経路と排気経路を形成する手段である。
【００５６】
後述するシャッターによってファンの排気運転時と吸気運転時の気流の流れを制御することが可能ではあるが、シャッターが存在しない場合においても、除湿経路と排気経路を設け、且つ除湿経路内に除湿剤を配置し、且つ排気経路からの熱によって除湿剤を乾燥させる構成を採用することにより、所要の効果（除湿剤の乾燥による繰り返し使用と、排紙搬送経路の除湿）を発揮することができる。
【００５７】
第２の本発明に係る除湿装置Ａは、風圧によって作動して除湿経路、及び排気経路を夫々開閉するシャッターを備え、除湿経路４０側のシャッター４１は、ファン３５の排気運転時に該除湿経路を閉止し、且つ吸気運転時に開放し、  排気経路６０側のシャッター６１は、ファンの排気運転時に該排気経路を開放し、且つ吸気運転時に閉止することを特徴とする。
各シャッターは風圧が作動しない時には各経路を閉止、又は開放し、風圧が作動した時に各経路を開放、又は閉止する。これにより、ファンの排気運転時には排気経路だけを通風可能として除湿経路内の除湿剤の乾燥効率を高め、吸気運転時には除湿経路のみを通風可能とすることで除湿剤による外気の除湿効率を高めることができる。
【００５８】
第３の本発明に係る除湿装置Ａは、除湿経路内には除湿剤を収容した除湿室壁４９から成る除湿空間４５が設けられており、除湿室壁には、排紙搬送経路側の開口４９ａとファン側の開口４９ｂが設けられ、各開口には風圧により開閉するシャッター４６、４７が設けられており、各シャッターは、ファンの排気運転時に該除湿空間を閉止し、且つ吸気運転時に開放することを特徴とする。
両シャッターを閉じることによって除湿空間を密閉することにより、排気経路６０を通過する高温の排気によって効率的に除湿剤を加熱、除湿することが可能となる。また、外気が高湿度である時に外気によって除湿剤が吸湿することを防止できる。
【００５９】
第４の本発明に係る除湿装置Ａは、除湿経路、又は除湿空間を外気と連通させる抜気管８５と、該抜気管を風圧により開閉するシャッター８６を備え、該抜気管のシャッターはファンの排気運転時には開放し、吸気運転時には閉止することを特徴とする。
除湿剤の乾燥時に発生した水蒸気は除湿空間４５内に溜まること無く抜気管８５から機外に排出され、除湿空間が高湿度になることが防止でき、除湿剤の乾燥効率を高めることができる。
【００６０】
第５の本発明に係る除湿装置Ａは、画像形成装置の立ち上り運転時から印刷開始までの暖気時間においてファンは排気運転を行い、印刷が開始されるとファンは吸気運転を行うことを特徴とする。
ファンの暖気運転により除湿剤を乾燥することができ、ファンの吸気運転により結露防止効果を発揮することができる。
【００６１】
第６の本発明に係る除湿装置Ａは、排紙搬送経路周辺の温度を検知する温度センサを備え、温度センサが所定の温度までの上昇を検知すると、ファンが排気運転を実施する（排気運転に切り替わる）ことを特徴とする。
これによれば、画像形成装置の暖気運転後に印刷が開始された後で排紙搬送経路の温度が所定値を越えて充分に上昇した段階で乾燥させた外気の取り入れを中止して通常運転に復帰できることとなる。
【００６２】
第７の本発明に係る除湿装置Ａは、除湿剤周辺には湿度センサを備え、該湿度センサが所定の湿度以下となったことを検知するまで画像形成装置の暖気運転とファンの排気運転を続けることを特徴とする。
これによれば、画像形成装置についてデフォルト設定された暖気時間によらず、狙いの湿度まで確実に暖気運転を行ない、除湿剤を乾燥させることができる。
【００６３】
第８の本発明に係る除湿装置Ａは、湿度センサ１１２が排紙搬送経路の湿度が所定値まで下がったことを検知すると、印刷可能である旨の表示が行われることを特徴とする。
乾燥対象箇所である排紙搬送経路の実際の湿度を検知し、印刷可能なタイミングを適時に報知するようにしたので、ユーザーに結露異常が発生しないタイミングで印刷を行うことができるようになる。
【００６４】
第９の本発明に係る除湿装置Ａは、ファンは回転数を変更することができ、印刷開始までの暖気運転時におけるファンによる排気運転時と、印刷開始時におけるファンによる吸気運転時には、ファンの回転数を上げて運転することを特徴とする。
これによれば、印刷前の暖気運転時においては除湿剤乾燥に要する時間を短縮でき、吸気運転時には結露防止効果を早期に発揮させることができる。
【００６５】
第１０の本発明に係る除湿装置Ａは、ファンは回転数を変更することができ、除湿経路内の湿度センサが所定の湿度まで下がっていないことを検知している時にはファンは回転数を上げて排気運転し、湿度が前記所定の湿度まで下がれば通常の回転数で運転をすることを特徴とする。
暖気運転時において、除湿剤の湿度が高い間は除湿剤が充分に乾燥するまでファンの出力を高めて乾燥時間を短縮し、所定の湿度まで低下した後はファン出力を通常に戻して定着の暖気を待ち、電力と騒音の副作用を抑えることができる。
【００６６】
第１１の本発明に係る除湿装置Ａは、排紙搬送経路周辺に湿度センサ１１２、及び温度センサ１１０を備え、除湿剤よりもファン寄りには他の温度センサ１１３が備えられており、排紙搬送経路周辺の湿度センサ、及び温度センサからの検出値によって排紙搬送経路周辺の露点温度を算出し、ファンによる吸気運転時に、露点温度がファン寄りの他の温度センサによる検出温度の値と近ければファンの回転数を上げて運転し、他の温度センサによる検出温度の値と離れていれば通常の回転数で運転することを特徴とする。
吸気運転時において、排紙搬送経路側の露点計算によって結露発生しやすい状況であることが判明した場合にはファン出力をあげて排紙搬送経路側の雰囲気湿度を安全側（結露解消状態）に移行させ、安全側にある場合にはファン出力を通常に抑えて排紙搬送経路の温度上昇を待ち、電力と騒音の副作用を抑えることができる。
【００６７】
第１２の本発明に係る除湿装置Ａは、画像形成装置内の画像形成部には温度センサ１１４が備えられており、該温度センサが所定温度を超えていることを検知すると、ファンは吸気運転をしないで排気運転をすることを特徴とする。
画像形成部の温度が装置の動作に障害をもたらす程度の高温（限界値）に近い場合にはどのような状況であっても吸気運転は行なわずに定着排熱（ファンの排気運転）を優先させて、画像形成装置の温度上昇による障害から守ることができる。
【００６８】
第１３の本発明に係る除湿装置Ａは、シャッターは可撓性のある材質によって構成されていることを特徴とする。
シャッターの機構を安価に簡単に構成することができる。
【００６９】
第１４の本発明に係る除湿装置Ａは、シャッターは、吸排気ダクト内に設けた開閉軸によって開閉自在に軸支されていることを特徴とする。
シャッターは吸排気ダクト内の固定された開閉軸にて支持されているので、シャッターの開閉機能の精度と耐久性を高く実現できる。
【００７０】
第１５の本発明に係る画像形成装置は、請求項１乃至１４の何れか一項に記載の除湿装置を備えたことを特徴とする。
これによれば、請求項１乃至１４に係る除湿装置の優れた効果を備えた画像形成装置を提供することができる。
【符号の説明】
【００７１】
１…画像形成装置、２…筐体、３…給紙部、５…作像部、５ａ…感光体、５ｂ…現像部、５ｃ…転写部、１０…光学部、１５…定着装置、１５ａ…加熱ローラ、１５ｂ…加圧ローラ、１５ｃ…排熱部、２０…排紙搬送経路、２１…搬送ローラ、２２…排紙部、３０…吸排気ダクト、３０…吸排気ダクト、３５…吸排気ファン（ファン）、４０…除湿経路、４１、４６、４７、６１、８６…シャッター、４１ａ…ストッパ、４３、６３…ヒンジ構造、４３ａ…開閉軸、４５…除湿空間、４９…除湿室壁、４９ａ…開口、４９ｂ…開口、６０…排気経路、６１…シャッター、６１ａ…ストッパ、７０…仕切部材、７０ａ…凹所（吸湿剤収容部）、８０…除湿剤、８５…抜気管、８６…シャッター、１００…制御手段、１１０…温度センサ、１１１…湿度センサ、１１２…湿度センサ、１１３…温度センサ、１１４…温度センサ、２００…読取光学系、２０１…操作部。
【先行技術文献】
【特許文献】
【００７２】
【特許文献１】特開２００４−１３０１５公報
【特許文献２】特開２０１５−１０２６１０公報
【特許文献３】特開２００６−２７６２１５公報
【特許文献４】特開２０１５−７９１８２公報
【特許文献５】特開２００７−７２１１０公報
【図１】
2017191131.tif 000003
【図２】
2017191131.tif 000004
【図３】
2017191131.tif 000005
【図４】
2017191131.tif 000006
【図５】
2017191131.tif 000007
【図６】
2017191131.tif 000008
【図７】
2017191131.tif 000009
【図８】
2017191131.tif 000010
【図９】
2017191131.tif 000011
【図１０】
2017191131.tif 000012
【図１１】
2017191131.tif 000013
【図１２】
2017191131.tif 000014
【図１３】
2017191131.tif 000015